(57)【要約】  本発明は、ピストン（８）のセットが設けられたシリンダー（３）を備えるタイプの安全ロックシステムに関し、制御手段（７）の縁部（７ｂ、７ｃ）に形成された圧痕上の弾性手段によって、前記手段（７）がシリンダー（３）に導入される方向に対して垂直に配置することができる。鍵（７）は後者と導入位置に導入されるとき、又は鍵（７）はそこから引き出されるとき、これらのピストン（８）は、２つの位置、つまりシリンダー（３）に引き込まれた位置を取ることができる。このシステムの特徴は：−  シリンダーは、平行六面体の形状のロッキングブロック（３）で構成されており、受け入れブロック（５）に受け入られることができ、−  それは、ロックブロック（３）が受け入れブロック（５）に導入されるときに作動するロック手段を備える。【選択図】図５ｂ
2020516795.tif 000002
【特許請求の範囲】
【請求項１】
ピストン（８）のセットを備えたシリンダー（３）を含むタイプの安全ロックシステムであって、
制御鍵（７）の縁部（７ｂ、７ｃ）に形成された圧痕上の弾性手段によって、シリンダー（３）への鍵（７）の方向に対して垂直に配置することができ、鍵（７）が後者と拡張位置に導入されたときと鍵（７）が引き出されたとき、これらのピストン（８）は、２つの位置、つまりシリンダーに引き込まれた位置（３）を取ることができ、
このシステムの特徴は：
−  シリンダーは、受け入れブロック（５）で受けられる平行六面体形状のロックブロック（３）で構成されており、
−  それは、ロックブロック（３）が受け入れブロック（５）に導入されるときに作動するロック手段（９、１７）を備えることにある、前記安全ロックシステム。
【請求項２】
ピストン（８）が収縮位置にあるとき、安全ロックシステムは、ロックブロック（３）が、受け入れブロック（５）内でそれをブロックすることができる維持手段を備えることを特徴とし、ピストン（８）は、ロックブロック（３）から鍵（７）を抜くときに外側の位置に移動する、請求項１に記載の安全ロックシステム。
【請求項３】
安全ロックシステムは、受け入れブロック（５）の形状が平行六面体であることを特徴とする、請求項１または２に記載の安全ロックシステム。
【請求項４】
安全ロックシステムは、ロックブロック（３）がガイドおよび制御ブロック（２７）を備えることを特徴とし、少なくとも１つの側壁の鍵（７）の入口ダクト（２９）を備えることは、鍵（７）の横側面（７ａ、７ｂ）の１つの形状と相補的な形状である、請求項１〜３のいずれか１項に記載の安全ロックシステム。
【請求項５】
安全ロックシステムは、吸気ダクト（２９）の長さ（Ｌ）が少なくとも側面の高さ（Ｈ）の半分に等しいことを特徴とする、請求項４に記載の安全ロックシステム。
【請求項６】
安全ロックシステムは、維持手段がブレードスプリング（１１）からなることを特徴とし、  その一端は受信ブロック５に固定され、他方の端部は、ロックブロック（３）のノッチ（１５）と協働してロックブロック（３）を受け入れブロック（５）と維持するように適合されたフック（１１ａ）を備える、請求項１〜５のいずれか１項に記載の安全ロックシステム。
【請求項７】
安全ロックシステムの特徴は、鍵（７）にロックブロック（３）を維持する手段から解放するようにわずかに回転させる手段（２１）が設けられていることにある、請求項１〜６のいずれか１項に記載の安全ロックシステム。
【請求項８】
安全ロックシステムの特徴は、鍵（７）にピン（２１）を設け、わずかな回転中にフック（１１ａ）を押してロックブロック（３）を解除することにある、請求項７に記載の安全ロックシステム。
【請求項９】
安全ロックシステムは、鍵（７）にスライド（１０３）が取り付けられたヘッド（１０２）を備えていることを特徴とし、部分（１０４）は、その前部でヘッド（１０２）から突出し、後者に係合したときにロックブロック上で支持できるようにする、請求項１〜５のいずれか１項に記載の安全ロックシステム。
【請求項１０】
ロック手段はロックブロック（３）自体によって構成されることを特徴とする、請求項１〜９のいずれか１項に記載の安全ロックシステム。
【請求項１１】
安全ロックシステムは、受け入れ部が南京錠（４０）の本体（４２）によって構成されることを特徴とする、請求項１〜１０のいずれか１項に記載の安全ロックシステム。
【請求項１２】
安全ロックシステムは、受け入れブロック（５）がコンピュータ（７７）の本体と一体であることを特徴とする、請求項１〜８のいずれか１項に記載の安全ロックシステム。
【請求項１３】
安全ロックシステムの特徴は、  ロックブロック（３）の側面の少なくとも１つは、特定の形状プロファイル（１００）を持ち、受け入れブロック（５）の内面は、相補的な形状のプロファイル（１０１）を有することを特徴とする、請求項１〜１２のいずれか１項に記載の安全ロックシステム。
【発明の詳細な説明】
【技術分野】
【０００１】
本発明は、シリンダー式の安全ロックシステムに関し、特に簡単な構造で、制御鍵  （コントロールキー）の回転を利用するためにロックする必要はない。
【背景技術】
【０００２】
固定子に回転可能に取り付けられ、取り外し可能なバレルまたは回転子を本質的に備えることで、多くのシリンダー式錠の設計が知られている。ビットが回転子（ローター）に固定され、その回転がロックの開閉機構を制御する。この目的のために、各ロックに固有のプロファイルを持つ鍵の端部に対して鍵がロックに挿入されると、回転子（ローター）には一連のピストンがあり、各ピストンはそれらを適用するバネによって制御される。
【０００３】
それらは通常、特定の機能と互換性がない特定のピストン配置に対して比較的に厚くなるように、この種類の鍵には、円筒形のバレルがある。
【発明の概要】
【発明が解決しようとする課題】
【０００４】
本発明は、そのようなロックの厚さを減らすことを提案する。さらに、鍵の入場灯の２つの側面は通常、形状  で、正しい形状の最初の制御を行うために、鍵の両側の側面の刻印は補完的である。ただし、ロックピッキングの実現を可能にして、ロックへの道具の導入を防ぐことができるようにこのゾーンには十分な深さがない。本発明は、この困難を解決することも提案する。
【０００５】
最後に、例えば、複数のユーザーが利用でき、それぞれが割り当てられたロッカーを使用するように制限されたり、鍵／バレルの妥当性に対応したりする先行技術のセキュリティシステムで一連のロッカーを確実にする。したがって、ユーザーは適切なロッカーを選択するオプションがない。ユーザーは自分の必要性に応じて使用したり変更したりするために、本発明の目的は、彼が一連の無料箱から選択できるようにする安全ロックシステムを提供することにある。
【課題を解決するための手段】
【０００６】
したがって、本発明は、シリンダーへの鍵の方向に垂直に、制御鍵（コントロールキー）の端に形成され、印象上の弾性手段によって配置することができるピストンのセットを備えたシリンダーを含むある種類の安全ロックシステムに関する。ピストンは２つの位置を占めることができ、すなわち、シリンダーに鍵が挿入されたときのシリンダー内の後退位置と、鍵がシリンダーから引き出されたときの伸長位置である。
【０００７】
このロックシステムの特徴は：
−  シリンダーは受け入れブロックで受け取りできる平行六面体の形状のロックロックで構成されており、
−  これは、ロックブロックが受け取りブロックに導入されると活動的になるロック手段を含んでいる。できれば、ロックブロックは、ピストンが格納位置にあるときに、受け入れブロックでロックすることができる手段を備えている。
【０００８】
本発明によれば、受け入れブロックはむしろ平行六面体形状である。さらに、ロックブロックは、鍵用の吸気ダクトを含むガイドおよび制御ブロックを含むことができ、その側壁の少なくとも１つは、鍵の側面の１つの形状と相補的な形状になる。できれば、吸気ダクトは、少なくとも鍵の側面の高さの半分に等しくなる長さがある。維持するための手段は、スプリングブレードで構成することができ、その一端は受け入れブロックに固定されたり、他方の端部は、受け入れブロックとロックブロックを維持するために、ロックブロックのノッチと協働することができるフックを備えたりする。
【０００９】
鍵には、わずかな回転により、ロック手段を維持手段から解放する可能な手段が提供される場合がある。したがって、鍵には、前記わずかな回転中に、ロックブロックを解除するためにフックを押すことができるスタッドを設けることができる。
【００１０】
本発明の一実施形態では、ロック手段は、ロックブロック自体によって構成することができる。
【００１１】
さらに、受信ブロックは、南京錠の本体によって構成されてもよく、コンピュータの本体と一体であってもよい。
【００１２】
代替実施形態では、ロックブロックの側面のうちの少なくとも１つは特定の形状のプロファイルを備え、受け入れブロックの内面は相補的な形状のプロファイルを備える。
【００１３】
最後に、鍵には、スライドがスライド可能に取り付けられるヘッドが提供され、鍵が後に従事するとき、その一部は、ロックブロックで支持できるように、正面のヘッドから突出する。
【００１４】
以下、非限定的な例として、本発明の実施形態を添付の図面を参照して説明する：
【図面の簡単な説明】
【００１５】
【図１】図１は、ロック解除位置で示される本発明による安全ロックシステムの分解斜視図である。
【図２】図２は、鍵をロックブロックに挿入する位置にある図１の安全ロックシステムの別の角度で表された分解斜視図である。
【図３】図３は、ロック位置で示された図２の安全ロックシステムの斜視図である。
【図４】図４は、ラックのロック位置で表され、ロックブロックから鍵が外され、前述の図の安全ロックシステムの斜視図である。
【図５ａ】図５ａは、前の図に示した安全ロックシステムのロックブロックを構成する鍵と要素の分解図である。
【図５ｂ】図５ｂは、ロックブロックの斜視図と垂直断面図である。
【図６】図６は、本発明の実施形態によるガイドおよび制御ブロックの斜視図である。
【図７】図７は、ロック位置にある前の図に示された安全ロックシステムの斜視図である。鍵は解放位置に回転される。
【図８ａ】図８ａおよび８ｂは、それぞれロック解除位置およびロック位置にある南京錠に適用された本発明の実施形態の図である。
【図８ｂ】図８ａおよび８ｂは、それぞれロック解除位置およびロック位置にある南京錠に適用された本発明の実施形態の図である。
【図９ａ】図９ａは、ディスプレイケースの２つのスライドパネルのロックに適用される本発明の別の実施形態の概略図である。
【図９ｂ】図９ｂは、ロック解除位置で図９ａの実装の詳細の斜視図である。
【図１０】図１０は、引き戸の施錠（ロック）に適用される本発明の別の例示的な実施の概略図である。
【図１１ａｂｃ】図１１ａから図１１ｄは、コンピューターの安全に適用される本発明の別の例示的な実装の概略図である。
【図１１ｄ】図１１ａから図１１ｄは、コンピューターの安全に適用される本発明の別の例示的な実装の概略図である。
【図１２】図１２は、従来型のドアロックに適用される本発明の別の例示的な実施の概略図である。
【図１３】図１３は、本発明によるロックブロックおよび受け入れブロックのカスタマイズ可能な実施形態の代替実施形態の概略斜視図である。
【発明を実施するための形態】
【００１６】
図１〜図４は、本発明による安全ロックシステムの動作原理を実施する安全ロック１を示し、平行六面体形状のロッキングブロック３、相補形状の受け入れブロック５、およびこのタイプのロック用の従来型の平らな制御鍵７を備えている。
【００１７】
鍵７が図１に示されているように拡張位置にあり、ロックブロックに導入されていない場合、又は鍵７は、図３および図４に示すように２および３は格納位置にあり、挿入される場合、ロックブロック３には、以下で詳細に説明する機構が設けられており、一連の１２個のピストン８を備えている。
【００１８】
受け入れブロック５は、ロックブロック３の断面と同じ形状および寸法のオリフィス６が設けられた入口面２８を備えている。したがって、鍵７がロックブロック３に挿入され、それに応じてピストン８が後退すると、図３に示すようにロックブロック３を受け入れることができる。
【００１９】
鍵７は平らな形であり、すなわち、従来の方法で、図１に示すように、それは２つの側面７ａおよび７ｂ、ならびに２つの上部および下部縁７ｃおよび７ｄを備えている。側面７ａおよび７ｂならびに縁部７ｃおよび７ｄは、各鍵に特有のプロファイルに機械加工または成形されることである。
【００２０】
後で一回配置されると、受け入れブロック５は、ロックブロック３を固定する能力を維持するための手段を備えている。本実施形態では、図１および図２に示すように、その一端の一方が受け入れブロック５に固定されたばねブレード１１により、これらの維持手段が構成され、他方の端部は、ロックブロック３のノッチ１５に配置されるフック１１ａを形成するように折り畳まれる。そして、後者の保持を確実にし、受け入れブロック５からの取り外しを防ぐ。
【００２１】
ロックブロック３の鍵７が取り外されると、フック１１ａは、鍵が取り外されると、受け入れブロック５からの後者の出力を防止する。ピストン８は延長位置に移動し、受け入れブロック５のロックブロック３のロックを確実にする。
【００２２】
ロックブロック３が受け入れブロック５で発生するとき、図３に示されるように、それを見ることができる。ロック機構と呼ばれる機構を作動させ、本実施形態では、回転ボルト９を備えている。これは、取り付け時にロックブロック３によって押し戻され、この作用の下で、例えばロッカー１９をロックするために、曲げばね１７の作用に抗して軸９ａを中心に旋回する。
【００２３】
ロックが実行されている。図４に示すように、ユーザーは、弾性手段の作用下で伸長位置になるピストン８を解放する効果を有するロックブロック３から鍵７を取り外すことができる。
【００２４】
図５ａおよび５ｂは、ピストン８を可能にするロックブロック３の内部機構の例を示している。同様に、鍵７がロックブロック３の所定の位置にない場合は、上記のように拡張位置にあるように指定され、この鍵が所定の位置にある場合は、格納位置にある。
【００２５】
本実施形態では、平行六面体形状のロックブロック３は、図示しない手段により取り付けられる２つの長方形のキュベット３ａおよび３ｂとして作られている。長方形のキュベット（空洞）が組み立てられると、図面上の垂直面の１つは、フック１１ａの受け入れを可能にする窓１５ａで貫通される入口面３ｃを形成する。入場窓３ｄはガイドブロック２７へのアクセスを提供し、入口導管２９を備える鍵７を制御するために、図５ｂおよび図６に示すように、２つの対向する面２７ａおよび２７ｂは、鍵の２つの側面７ａおよび７ｂの空洞にそれぞれ相補的な空洞を有する。
【００２６】
ガイドブロックと制御２７の下流は鍵７の上部プロファイル７ｃと下部プロファイル７ｄのそれぞれに係合するためのセンサーが装備されているピストン８の２列に配置されている。列８は、鍵の上部プロファイル７ｃと接触することができるセンサー８ｂを備え、他の列は、下側プロファイル７ｄと接触することができるセンサー８ａを備える。
【００２７】
各ピストン８の上部および下部は、それぞれにロックブロック３の上部と下部に配置されるそれぞれの上部および下部ガイドプレート３０ａおよび下部３０ｂに作られた凹部３２ａおよび３２ｂ内で生じる。キー７が係合していない場合は、開口部３ｅは、ピストン８の端部がロックブロック３から離れることができるように、長方形キュベット３ａおよび３ｂの上部および下部に提供されている。
【００２８】
ピストン８のそれぞれは、バネ１０によって設定され、鍵７がない場合、図−１、４および５ｂに示すように、それを拡張位置にする。
【００２９】
本発明は、このタイプのロックに対してかなりの長さＬであるガイドおよび制御ブロック２７を生成することを可能にするという点で特に有利である。これは少なくとも鍵の横方向の刻印の高さＨの半分に等しい、ピストン８に介入することを目的とした器具の導入を防止することにより、後者の安全を高める性質のものである。
【００３０】
本発明によるロックの動作は、以下に説明するように影響を受ける。
【００３１】
最初に、ユーザーは、ロックブロック３に挿入される鍵７を持ち、例えば、安全効果を望むロッカー１９のロックを実現したい。従来のロック装置とは異なり、後者にはロックブロックがないので、ユーザーは、一連のロッカーの無料箱から適切なロッカーを選択するオプションがある。
【００３２】
図２に示すように、ユーザーの鍵７がロックブロック３に挿入される。したがって、後者のピストン８は収縮位置にある。そして、ユーザーは、選択したロッカーの受け入れブロック５にロックブロック３を挿入することができる。そうすることで、図−３に示すように、ロックブロック３がボルト９をボルトスプリング１７の力に抗して押し、ボルトがロッカー１９をロックする。
【００３３】
次に、ユーザーは鍵７を取り外し、この引き出し動作中に、ロックブロック３は、フック１１ａにより受け入れブロック５に拘束される。そして、鍵が引き出されると、ピストン８が伸長位置に移動し、これにより、図４に示すように、受けブロック５内のロックブロック３がロックされ、その結果、ロッカー１９のロックが確保される。
【００３４】
ユーザーがその効果を回復してロッカーを解除したい場合、彼は、ピストン８を伸長位置から格納位置に通過させる効果を持っているロックブロック３に鍵７を挿入する。次に、図７に示すように、鍵７のスタッド２１がフック１１ａを押すことを可能にする効果を有し、スタッド２１、鍵７を含む手段を時計（矢印ａ）の針の方向に少し回転させる。そして  ユーザーが鍵に張力をかけると、ロックブロック３は、ピストン８を押して鍵のレリーフ７ｄおよび７ｃに作用するスプリング１０の圧力の影響下で受け入れブロック５から抜き取る。
【００３５】
ロックブロック３が取り外されると、ロック機構はボルト９と初期位置に戻ったり、ばね１７の作用下で、これはその初期位置に戻ったりして、したがってラック１９を解放する。
【００３６】
もちろん、本発明による安全ロックシステムは、ロック以外の任意の安全装置とともに使用することができ、図−８ａおよび８ｂに示すように、たとえば南京錠で使用できる。
【００３７】
これらの図では、従来型の南京錠４０が断面で示されており、本体４２を備えている。  ロックリング４４は第１の端部４４ａを有し、これは、既知の方法で、本体４２に回転およびスライドの両方で取り付けられる。したがって、ロックリングは２つの位置を占めることができる。すなわち、図８ａに示すように、その第２の端部４４ｂが本体４２から出力されるロック解除位置があり、図８ｂに示されるように、この第２の端部４４ｂが本体４２にロックされるロック位置がある。
【００３８】
この南京錠のロックは、本発明による安全ロックシステムによって得られる。
【００３９】
この目的のために、このように、例えば上記のタイプの受け入れブロックを構成するように、この南京錠の底部４６は、平行六面体の空洞４８でくり抜かれており、Ａロックブロック３を受け入れできるようになっている。
【００４０】
さらに、自由端を備えたロックレバー５０はフック５０ａを形成し、このフック５０ａは、そのように他端で、軸５１の周りで本体４２に回転可能に取り付けられ、ロックブロック３がない場合、圧縮バネ５２の作用下で空洞４８内に延びる。ロックブロック３が存在する場合、このレバーはスプリング５２に対して押し戻され、そのフック５０ａは、ロックリング４４の第２の端部４４ｂに作られたノッチ５４に収容されている。
【００４１】
バネ５２の反対側のキャビティ４８の部分は、ロックブロック３のピストン８の一端を受け入れることを意図として、それぞれミニキャビティ５６からくり抜かれている。
【００４２】
南京錠４０をロックするために、図８ａに示すように、制御鍵７がロックブロック３に導入され、ピストン８の出力部分を食い止める効果を有する。次に、鍵７とロックブロック３で形成されたサブアセンブリを南京錠のキャビティ４８に挿入し、それにより、ロックレバー５０が押し戻される。この時点で、ロックリングが矢印Ｆの方向に押し戻されている場合、フック５０ａは、ロックリング４４のノッチ５４に貫通する。ユーザーがロックブロック３から鍵７を取り外すと、ピストン８の端部がミニキャビティ５６に収容されるようになり、これにより南京錠のロックが確実になる。
【００４３】
後者のロックを解除するには、ユーザーは、ロックブロック３は、ピストン８の端を食い止める効果があるロックブロック３に鍵７を挿入する。後者を解除すると、ユーザーはロック本体を南京錠本体から引き抜くことができ、アセンブリは鍵７とロックブロック３で構成される。次に、ばね５２の作用下でロックレバー５０がノッチ５４から現れ、ロックリング４４を南京錠から解放する。
【００４４】
本発明によるロックシステムは、複数の安全装置をロックするために使用することができる。したがって、たとえば、ディスプレイケースのスライドリーフをロックするために使用できる。
【００４５】
図１９ａおよび９ｂは、本発明のそのような代替実施形態を示す。これらの図では、２つのガラスパネル６１ａおよび６１ｂによって閉じられているディスプレイケース６０が概略的に示されている。これらはそれぞれ、２つの平行なスライド６３ａおよび６３ｂでスライドするように取り付けられている。このディスプレイケースの閉鎖は、本発明による安全ロックシステムによって提供される。この目的のために、パネル６１ｂは、ねじ込みおよび／または接着などの任意の適切な手段によって固定される。後者が以前と同様に、受信ブロック５に導入されるとき、それらはロックブロック３のピストン８に面しているように、受け入れブロック５は、このような方法で配置された凹部３２ａを有する。
【００４６】
受け入れブロック５は、２つのパネル６１ａと６１ｂとの間に存在する空間の間を滑ることができ、その変位を妨げないような厚さを有する。そして、その部分のロックブロック３は、図９ａに示すように、ボラード受け入れブロック５内の所定の位置にあるとき、パネル６１ａに当接するような厚さがある。
【００４７】
ロックブロック３の鍵７が取り外されると、ロックブロックは指の圧力下で適所に維持される。ピストン８はノッチ３２ａを貫通し、このように、ロックブロック３が受け入れブロック５に固定される。この位置では、ディスプレイケースのロックが確保されるように、ロックブロックは、図９ａの左へのパネル６１ａの移動と右へのパネル６１ｂの移動を防ぐストップを形成する。ロック解除はもちろん、上記で説明したとおりである。
【００４８】
図１０に、本発明の別の代替実施形態を概略的に示す。この場合、例えばガラス窓を支持するサッシ７０が、エンブレア７２に対してスライド可能に取り付けられている。サッシ７０には、その移動方向に垂直なスライド７４からなる閉鎖装置が装備され、そこでは、平らなボルト７６が２つの位置を占めることができるようにスライドするように取り付けられている。すなわち、その端部の１つがトリガーガード７８に付ける閉位置があり、前記端部がこのトリガーガードから外れている開放位置がある。スライダ７４には、受け入れブロック５の入口オリフィスへのアクセスを可能にする開口部が穿孔されている。さらに、ボルト７には、前述のものと同じ寸法の開口部７５が穿孔されている。そして、図１０に示すように、閉位置では、これらの２つの開口部が互いに向き合うように配置されている。したがって、窓が閉位置にあり、したがってボルト７がトリガーガード７８の内側にあるとき、ユーザーは、その制御鍵７を備えたロックブロック３に開口部を通って入ることができる。
【００４９】
このように、ロックブロック３が一回受け入れブロック５に挿入され、鍵７が取り外されると、ボルト７６は、ロックブロック３の単純な存在によって、並進運動に対してブロックされる。したがって、サッシ７０はロック位置にあり、この実施形態では、本発明による安全ロックシステムのロック手段を構成するのはロックブロック３自体である。もちろん、ロック解除操作は上記のように実行される。
【００５０】
本発明によるロックシステムは、例えばポータブルコンピュータの安全を確保するために、コンピューティングの分野でも使用することができる。又は、第三者がコンテンツにアクセスすることを防ぎ、一方でコンピューター自体の安全を確保する。
【００５１】
図１１ａから１１ｄは、本発明のそのような応用の一例を示す。ポータブルタイプのコンピューター７７で行われる受け入れブロック５が生成され、それはＵＳＢソケットと呼ばれるソケットと同じ寸法の開口部８１によって外側に開く。そして、適切な寸法のロックブロック３を受け入れることを目的としている。受け入れブロック５は、フックの形態の旋回ラッチ８０を含むロック部材を通過する側面の一方に窓７９を含み、これは、２つの主要な位置、つまり、図１１ｂに示すように開いた位置と、図１１ｃに示すように閉じた位置を占めることができる。ロック８０の機構はこのようなもので、ロックブロック３が受け入れブロック５に挿入されていない場合、ロックは開いている（図１１ｂ）。ロックブロック３が受け入れブロック５に挿入されると、後者は閉じた位置（図１１ｃ）を通過するロックブロック３はロック８０の機構を押す。コンピューターの上部プレート７７ａは、ロック８０の右側にあるウィンドウ７７ｂを備えている。そして、後者が閉じた位置に入るとき、カバー７７ｃのフック８２が受け入れられる。このフック８２はロック８０と協働し、これにより、閉じた位置に移動したときに保持される。
【００５２】
受け入れブロック５はコンピューターに固定され、ロックブロック３の設置により、受け入れブロック５のカバー７７ｃが維持される。そして、ロックブロック３の鍵７を取り外すことにより、ピストン８の出力が確保され、ロックブロック３が維持される。
【００５３】
このような配置により、コンピューターの不正使用が防止される。さらに、図１１ｄに示すように、ロックブロック３が機械的に強い材料で作られた柔軟な接続要素８４を備えている場合、ロックブロック３は、任意の適切な手段によって固定することができ、自由端は、固定部分８６にあり、コンピューター自体の安全を確保する。
【００５４】
図１２に示すように、本発明による安全ロックシステムは、従来のタイプのドアロックをロックするためにも使用することができ、図示されていないストライカ内にばね８９によって付勢されるスライドボルト８８を備えている。ボルト８８の取り外しは、図示されていないハンドルにより制御されるシャフト９０により作動される機構により達成される。
【００５５】
スライドボルト８８には、２つの長方形の開口部９２と９３が貫通し、断面はロックブロック３と同じ形状と寸法を持っている。ロックのケーシング９１は閉じられており、２つの窓９４が貫通している。ボルト８８のライト９２と９３にそれぞれ対向して配置されている。図１２に示すように、これらのライトはロックの両側に配置されており、ユーザーはドアが取り付けられているドアの両側にロックをロックできる。
【００５６】
ユーザーがロックをロックしたいとき、窓９４の１つを通して、配置されているドアの側面に応じて、ライト９２または９３の１つのロックブロック３を導入する。したがって、スライドボルト８８のいかなる動きも阻止され、前の例と同様にその鍵７を取り外すことによりそのロックを確実にする。本発明による安全ロックシステムのロック手段を構成するのは、ロックブロック３自体である。ロック解除は上記のように実行される。
【００５７】
図１３に示すように、本発明の変形実施形態では、ロックシステムは、ロックブロック３の一方または両方の側面に特定のプロファイル１００を与え、内側面または受け入れブロック５の反対側の面に相補的なプロファイル１０１を与えることによりカスタマイズできる。したがって、このような実装のＡモードでは、受け入れブロックはそれと一致するロックブロックのみを受け入れることができる。
【００５８】
もちろん、本発明によれば、ロックブロックから鍵を削除するには、ピストンが格納位置にある間、上記とは異なる手段を使用することができる。したがって、図１１および１２に示すように、鍵７の頭部１０２はスライド要素１０３を受け入れることができ、前部には舌部が設けられ、その舌部１０４は頭部から突出する。したがって、ピストン８を外して確実にロックするためにロックブロック３から鍵７を引き抜くことが望ましい場合、スライド１０３が鍵の前面に向かって押される。そして、端部１０４はロックブロック３に当接し、それにより、鍵を矢印Ｇの方向に押して、それを取り外すことができるようにする。次に、上記で説明したように、ピストンは伸長位置にあり、受け入れブロックでロックブロックの取り外しをブロックする。
【図１】
2020516795.tif 000003
【図２】
2020516795.tif 000004
【図３】
2020516795.tif 000005
【図４】
2020516795.tif 000006
【図５ａ】
2020516795.tif 000007
【図５ｂ】
2020516795.tif 000008
【図６】
2020516795.tif 000009
【図７】
2020516795.tif 000010
【図８ａ】
2020516795.tif 000011
【図８ｂ】
2020516795.tif 000012
【図９ａ】
2020516795.tif 000013
【図９ｂ】
2020516795.tif 000014
【図１０】
2020516795.tif 000015
【図１１ａｂｃ】
2020516795.tif 000016
【図１１ｄ】
2020516795.tif 000017
【図１２】
2020516795.tif 000018
【図１３】
2020516795.tif 000019
【国際調査報告】
2020516795.tif 000020
2020516795.tif 000021
2020516795.tif 000022
2020516795.tif 000023